(57)【特許請求の範囲】
【請求項１】
壁に形成され配管が貫通可能な貫通孔の内部に、外周に断熱材を巻き付けた部分が位置するようにして挿入された配管と、前記壁とのすき間を密閉する方法において、
前記壁に密着するつば部と、このつば部に固定されて前記配管の外側を囲む筒状部とからなるさや管における前記筒状部の内部に、前記配管の外周と前記筒状部の内周とに密着する寸法のリング状をなすゴム質材を嵌入するに際して、
前記ゴム質材には、内外に渡る切れ目を付しておき、この切れ目を開きながら当該ゴム質材を前記配管に外嵌し、
次いで、前記ゴム質材を前記配管の外周で滑らせながら前記筒状部に内嵌し、
さらに、前記配管の外周部と前記ゴム質材の外部に現れている面との接触部と、前記ゴム質材の外部に現れている面と前記筒状部との接触部と、前記つば部の外周部とのそれぞれにシーリング材を施すことを特徴とする壁とこの壁を貫通する配管とのすき間を密閉する方法。
【発明の詳細な説明】
【０００１】
【発明の属する技術分野】
本発明は、壁とこの壁を貫通する配管とのすき間を密閉する方法に関するものであり、特に無菌室へ通じる配管の貫通部のすき間を密閉する方法に関する。
【０００２】
【従来の技術】
無菌室には薬液を供給等する配管が通じているが、この配管が壁を貫通した部分のすき間から無菌室へ細菌が侵入しないようにするため、このすき間をシーリング材で密閉している。
すき間の密閉の仕方について具体的に説明すると、まず、配管の径より大きい径をした貫通孔を壁に形成する。そして、貫通孔の長さより若干短めの断熱材が外周の一部に巻き付けてある配管を、貫通孔に挿入する。このとき、断熱材を巻き付けた部分で貫通孔と配管とのすき間を塞ぐようにして、配管を位置させる。この状態において、壁面には、配管の外周にリング状をした凹部ができるため、この凹部に防かび用のシリコン等で構成されるシーリング材を注入する。
【０００３】
次に、配管の外側を囲むようにして、シリコンゴムで構成されたさや管を配管の外周に沿って通す。さや管は、筒状部とつば部とから構成されており、つば部に接着剤を塗布することにより壁にさや管を接着させる。
そして、配管の外周とさや管の内周とのすき間の奥部に、ゴム等で構成されたバックアップ材を挿入してから、さらにこのすき間に防かび用のシリコン等で構成されるシーリング材を充填することにより、配管とさや管とのすき間を密閉していた。
【０００４】
【発明が解決しようとする課題】
しかし、前述したやり方で壁とこの壁を貫通する配管とのすき間を密閉するのは手間がかかるものであるため、簡易かつ迅速に密閉作業を行うことができなかった。また、市販されているシリコン栓等のゴム質材を利用することができないため、コストがかかるという問題もあった。
【０００５】
そこで本発明は、簡易かつ迅速に密閉作業を行うことができるようにするとともに、市販されているゴム質材を利用可能とすることにより、コストダウンを図ることを目的とする。
【０００６】
【課題を解決するための手段】
前記目的を達成するため、本発明に係る壁とこの壁を貫通する配管とのすき間を密閉する方法は、壁に形成されて配管が貫通可能な貫通孔の内部に、外周に断熱材を巻き付け部分が位置するようにして、前記貫通孔に配管が挿入される。
このとき、壁に密着するつば部と、このつば部に固定されて配管の外側を囲む筒状部とからなるさや管における前記筒状部の内部に、前記配管の外周と前記筒状部の内周とに密着する寸法のリング状をなすゴム質材を嵌入するに際して、前記ゴム質材には、内外に渡る切れ目を付しておき、この切れ目を開きながら当該ゴム質材を前記配管に外嵌する。
【０００７】
次いで、前記ゴム質材を前記配管の外周で滑らせながら、前記筒状部に内嵌する。さらに、前記配管の外周部と前記ゴム質材の外部に現れている面との接触部と、前記ゴム質材の外部に現れている面と前記筒状部との接触部と、前記つば部の外周部のそれぞれにシーリング材を施すものである。
ここでゴム質材とは、例えばシリコン栓のようなシリコンで構成された物の他に、配管の外周とさや管の筒状部の内周とに密着可能な弾力性を有するものであれば、どのようなものを使用しても構わない。
【０００８】
本発明によれば、簡易かつ迅速に密閉作業を行うことができ、また、市販されているゴム質材を利用することが可能であるため、コストダウンを図ることができる。
【０００９】
【発明の実施の形態】
以下、本発明に係る壁とこの壁を貫通する配管とのすき間を密閉する方法の実施の形態について、図面に基づいて説明する。
本発明は、大別すると、▲１▼配管の設置、▲２▼さや管の取り付け、▲３▼シリコン栓の取り付け、▲４▼シーリング材の充填という行程からなるものである。以下、順に説明する。
１．配管の設置
図１に示すように、無菌室を形成する壁１には、貫通孔１ａが形成してあり、この貫通孔を薬液等を供給したり排出したりするための配管２が貫通可能である。貫通孔１ａは、配管２の径より大きな径をしている。
【００１０】
配管２は、その両端開口部がテーパ状をしたサニタリー配管を使用し、その外周の一部に断熱材２１を巻き付ける。断熱材２１は、壁に形成した貫通孔１ａの内周に嵌合可能な大きさをしたものを使用する。
そして、断熱材２１を巻き付けた部分が貫通孔１ａの内部に位置するようにして、配管２を貫通孔に挿入する。
２．さや管の取り付け
次に、配管２の外側を囲むようにして、配管の外周にさや管３を通す。
【００１１】
さや管３は、ステンレス製のつば部３１に、ステンレス製の筒状部３２が溶接されることにより一体的に形成されている。
つば部３１は四角形状をしており、その中央部には筒状部３２の径より小さな径をした貫通孔３１ａが形成してあり、この貫通孔内を配管２が貫通可能である。また、つば部３１の四隅には、ビスを取り付けるための取付孔が形成してあり、この取付孔に平ビス４を挿入してビス止めすることにより、さや管３を壁１に固定する。
【００１２】
筒状部３２は円筒状をしており、この筒状部内を配管２が貫通可能である。また、筒状部３２は、後述するシリコン栓５が、筒状部の内周と密着した状態で挿入可能な大きさをしている。
３．シリコン栓の取り付け
次に、シリコン栓５を配管２に取り付けてから、さや管３の筒状部３２の内部に挿入する。
【００１３】
シリコン栓５は、シリコンで構成された弾力性を有するものであり、市販されているものを使用可能である。図２に示すように、シリコン栓５は中空部５ａを有する円筒状をしており、配管２の外周とさや管３の筒状部３２の内周に密着可能な大きさをしている。すなわち、シリコン栓５の径は、さや管３の筒状部３２の内周の径とほぼ同じ大きさをしており、また、中空部５ａの径は、配管２の径とほぼ同じ大きさをしている。したがって、配管２は、シリコン栓５の中空部５ａの内周と密着した状態で貫通可能である。
【００１４】
シリコン栓５には、中空部５ａから外周にかけて切れ目５ｂが形成してある。シリコン栓５を配管２に取り付けるときには、この切れ目５ｂを開いた状態で中空部５ａに配管を挿入し、シリコンの弾性力によりシリコン栓は元の状態に復帰することにより、シリコン栓は配管の外周と嵌合した状態になる。
次に、シリコン栓５を配管２の外周で滑らせて、さや管３の筒状部３２の内奥部、すなわちシリコン栓がつば部３１と当接して移動不能になるまでシリコン栓を挿入する。この際、シリコン栓５は、さや管３の筒状部３２よりわずかに長いものであるため、シリコン栓は図１に示すように、筒状部からわずかに突出した状態になる。
４．シーリング材の充填
次に、配管２の外周部とシリコン栓５の外部に現れている面との接触部にシーリング材を施して、三角形状をしたシール６を形成する。これにより、美観を損なうことなく、配管２とシリコン栓５とのすき間は塞がれる。
【００１５】
また、シリコン栓５の外部に現れている面とさや管３の筒状部３２との接触部に、同様にしてシーリング材を施して、三角形状をしたシール６１を形成する。これにより、美観を損なうことなく、シリコン栓５と筒状部３２とのすき間は塞がれる。
さらに、さや管３のつば部３１の外周部にシーリング材を施して、三角形状をしたシール６２を形成する。これにより、美観を損なうことなく、つば部３１と壁１とのすき間は塞がれる。
【００１６】
以上のようにして、壁１とこの壁を貫通する配管２とのすき間は完全に塞がれて、無菌室に細菌が侵入することを防止することができる。
なお、シリコン栓５は、必ずしもさや管３の筒状部３２よりわずかに長いものである必要はなく、筒状部と同じ長さをしたものでもよく、また、筒状部より短いものであっても構わない。
【００１７】
また、さや管３の材質は、このさや管の筒状部３２の内周にシリコン栓５が密着可能なものであれば、ステンレス製のものに限られず、どのようなものを使用しても構わない。
また、さや管３やシリコン栓５の大きさは、配管２の大きさに合わせて変更可能である。
【００１８】
【発明の効果】
以上説明したように本発明によれば、簡易かつ迅速に、壁とこの壁を貫通する配管とのすき間を密閉する作業を行うことができる。また、市販されているゴム質材を利用することが可能であるため、コストダウンを図ることができる。さらに、弾力性を有するゴム質材を、配管の外周とさや管の筒状部の内周とに密着させることによりすき間を密閉するため、長期間にわたって無菌室のクリーン度を維持することができる。
【図面の簡単な説明】
【図１】本発明を示す縦断面図である。
【図２】ゴム質材の正面図である。
【符号の説明】
１    壁
２    配管
３    さや管
３１  つば部
３２  筒状部
５    シリコン栓（ゴム質材）
５ｂ  切れ目
【図１】
0004361157.tif 000002
【図２】
0004361157.tif 000003